(57)【要約】【課題】低背で、かつ、簡素な構成でありながら、内部への異物の侵入が確実に防止され、信頼性が高くなるようにする。【解決手段】平板状ケーブルが挿入される空洞部を含むハウジング１１と、該ハウジング１１に取付けられ、前記平板状ケーブルの導電線と電気的に接続される端子と、前記ハウジング１１に取付けられたカバー部材７１とを備えるコネクタ１であって、前記ハウジング１１は、前記空洞部の入口１８ａの下面を画定する平坦な入口下面を含み、前記カバー部材７１は、前記空洞部の上方を覆う天板部７２と、該天板部７２の前端に接続され、前記空洞部の入口１８ａを覆う前方部７６とを含み、該前方部７６は、前記入口下面に対向する下方湾曲部を含み、前記入口下面に向けて付勢されている。【選択図】図１
2018133314.tif 000002
【特許請求の範囲】
【請求項１】
（ａ）平板状ケーブルが挿入される空洞部を含むハウジングと、
（ｂ）該ハウジングに取付けられ、前記平板状ケーブルの導電線と電気的に接続される端子と、
（ｃ）前記ハウジングに取付けられたカバー部材とを備えるコネクタであって、
（ｄ）前記ハウジングは、前記空洞部の入口の下面を画定する平坦な入口下面を含み、
（ｅ）前記カバー部材は、前記空洞部の上方を覆う天板部と、該天板部の前端に接続され、前記空洞部の入口を覆う前方部とを含み、該前方部は、前記入口下面に対向する下方湾曲部を含み、前記入口下面に向けて付勢されていることを特徴とするコネクタ。
【請求項２】
前記カバー部材は、前記天板部の後端に接続された後板部を含み、該後板部は、上下方向に延在し、前記ハウジングの後端の少なくとも上端近傍部分を覆う請求項１に記載のコネクタ。
【請求項３】
前記ハウジングは、前記端子を収容する端子収容凹部を含み、該端子収容凹部の後端開口は前記ハウジングの後端に開口し、前記後板部は、前記後端開口の少なくとも上端近傍部分を覆う請求項２に記載のコネクタ。
【請求項４】
前記ハウジングは、その前端の外側下端に形成された抑え突起を含み、前記カバー部材は、前後方向に延在し、後端が前記後板部に接続され、前端部が前記抑え突起の上面に対向する側板部であって、前記前端部近傍にカバー部材テール部が接続された側板部を含む請求項２に記載のコネクタ。
【請求項５】
前記平板状ケーブルは、前記導電線が露出する面の反対側の面に露出するシールド板を含み、前記下方湾曲部は、前記空洞部に挿入された平板状ケーブルのシールド板を押圧する請求項１〜４のいずれか１項に記載のコネクタ。
【請求項６】
前記前方部は、前記天板部の前端と下方湾曲部とを接続する前壁部と、前記下方湾曲部の前端に接続された入口上側傾斜部と、該入口上側傾斜部に上方湾曲部を介して接続された返し板部とを含み、前記前壁部、下方湾曲部、入口上側傾斜部、上方湾曲部及び返し板部によって周囲を画定された空間は、その上面が返し板部の先端と前壁部との間で開口し、異物を内部に捕捉可能な空間である請求項１〜５のいずれか１項に記載のコネクタ。
【請求項７】
前記端子は、前記ハウジングに固定される基部と、該基部から前方に向けて延出する主接触腕部及び補助接触腕部と、該主接触腕部及び補助接触腕部の自由端に形成された主接触凸部及び補助接触凸部とを含み、該補助接触凸部は前記主接触凸部より前記空洞部の入口側に位置する請求項１〜６のいずれか１項に記載のコネクタ。
【請求項８】
前記カバー部材の天板部は、前記ハウジングの上部の上面を覆い、前記空洞部の上面は前記上部の下面によって画定され、前記主接触凸部及び補助接触凸部は前記空洞部の上面に対向する請求項７に記載のコネクタ。
【発明の詳細な説明】
【技術分野】
【０００１】
本開示は、コネクタに関するものである。
【背景技術】
【０００２】
従来、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される平板状ケーブルを接続するためにＦＰＣコネクタ、ＦＦＣコネクタ等のケーブル用コネクタが使用されている（例えば、特許文献１参照。）。
【０００３】
図７は従来のケーブル用コネクタを示す側断面図である。
【０００４】
図に示されるように、ケーブル用コネクタは、合成樹脂等の絶縁性材料から成るハウジング８１１と、金属等の導電性材料から成り、前記ハウジング８１１に保持される複数の端子８５１とを有する。該端子８５１の先端は、ケーブル差込空洞８１２内に上方から突出している。前記ケーブル用コネクタは、前記端子８５１のテール部８５８がハウジング８１１の下方に位置する図示されない基板の表面の接続パッドに接続されることによって、前記基板に実装される。
【０００５】
そして、前記ハウジング８１１の上面には、弾性を有する金属板から成る係合部材８６１が配設されている。該係合部材８６１は、軸受金具８７１を介して、ハウジング８１１に回動可能に取付けられている。具体的には、係合部材８６１の回転軸８６６が、軸受金具８７１に形成された孔８７２内に、回転可能に挿入されている。また、前記係合部材８６１は、後方に延在する係止部８６３を含み、該係止部８６３の先端８６４は、ケーブル差込空洞８１２内に上方から突出している。さらに、前記係合部材８６１は、前端に接続された弾性片部８６５を含み、該弾性片部８６５の先端はハウジング８１１の上面に当接している。
【０００６】
図に示されるように、前記ハウジング８１１の前方に位置する平板状ケーブル９０１の先端部分が、前記ハウジング８１１の前面から、ケーブル差込空洞８１２内に挿入される。なお、前記平板状ケーブル９０１の上面には複数の導電線の接触部９５１が露出し、また、前記平板状ケーブル９０１の幅方向両端には切欠き係合部９１３が形成されている。そして、前記平板状ケーブル９０１がケーブル差込空洞８１２内に挿入されると、前記接触部９５１の各々が対応する端子８５１の先端と接触して導通する。また、前記平板状ケーブル９０１がケーブル差込空洞８１２内の奥にまで到達する際に、前記平板状ケーブル９０１の先端が係合部材８６１の係止部８６３の先端８６４に当接すると、前記係合部材８６１は、回転軸８６６を中心にして、図において反時計回り方向に回転させられる。なお、前記弾性片部８６５は弾性的に変形する。これにより、前記係止部８６３の先端８６４が上昇するので、前記平板状ケーブル９０１はケーブル差込空洞８１２内の奥にまで進行することができる。
【０００７】
そして、前記平板状ケーブル９０１がケーブル差込空洞８１２内の奥にまで到達すると、平板状ケーブル９０１の切欠き係合部９１３が前記係止部８６３の先端８６４の直下に到達する。すると、前記弾性片部８６５の反発力によって、前記係合部材８６１が回転軸８６６を中心にして、図において時計回り方向に回転し、前記係止部８６３の先端８６４が前記切欠き係合部９１３内に進入する。これにより、ケーブル用コネクタに接続された平板状ケーブル９０１は、前記係止部８６３によって係止された状態となり、ケーブル差込空洞８１２から抜出ること、すなわち、接続解除が防止される。
【先行技術文献】
【特許文献】
【０００８】
【特許文献１】特開２０１３−０３７８３９号公報
【発明の概要】
【発明が解決しようとする課題】
【０００９】
しかしながら、前記従来のコネクタにおいては、基板に実装された状態で、平板状ケーブル９０１が挿入されて接続される前に、その内部に空中に浮遊するカス、ダスト等の異物が進入して、隣接する端子８５１同士の間で短絡（ショートサーキット）が発生してしまうことがある。また、平板状ケーブル９０１を接続する際に、異物が平板状ケーブル９０１に付着した状態でハウジング８１１のケーブル差込空洞８１２内に進入し、平板状ケーブル９０１の接触部９５１と端子８５１との間に挟込まれ、接触部９５１と端子８５１とが導通しなくなってしまうことがある。
【００１０】
ここでは、前記従来のコネクタの問題点を解決して、低背で、かつ、簡素な構成でありながら、内部への異物の侵入が確実に防止され、信頼性の高いコネクタを提供することを目的とする。
【課題を解決するための手段】
【００１１】
そのために、コネクタにおいては、平板状ケーブルが挿入される空洞部を含むハウジングと、該ハウジングに取付けられ、前記平板状ケーブルの導電線と電気的に接続される端子と、前記ハウジングに取付けられたカバー部材とを備えるコネクタであって、前記ハウジングは、前記空洞部の入口の下面を画定する平坦な入口下面を含み、前記カバー部材は、前記空洞部の上方を覆う天板部と、該天板部の前端に接続され、前記空洞部の入口を覆う前方部とを含み、該前方部は、前記入口下面に対向する下方湾曲部を含み、前記入口下面に向けて付勢されている。
【００１２】
他のコネクタにおいては、さらに、前記カバー部材は、前記天板部の後端に接続された後板部を含み、該後板部は、上下方向に延在し、前記ハウジングの後端の少なくとも上端近傍部分を覆う。
【００１３】
更に他のコネクタにおいては、さらに、前記ハウジングは、前記端子を収容する端子収容凹部を含み、該端子収容凹部の後端開口は前記ハウジングの後端に開口し、前記後板部は、前記後端開口の少なくとも上端近傍部分を覆う。
【００１４】
更に他のコネクタにおいては、さらに、前記ハウジングは、その前端の外側下端に形成された抑え突起を含み、前記カバー部材は、前後方向に延在し、後端が前記後板部に接続され、前端部が前記抑え突起の上面に対向する側板部であって、前記前端部近傍にカバー部材テール部が接続された側板部を含む。
【００１５】
更に他のコネクタにおいては、さらに、前記平板状ケーブルは、前記導電線が露出する面の反対側の面に露出するシールド板を含み、前記下方湾曲部は、前記空洞部に挿入された平板状ケーブルのシールド板を押圧する。
【００１６】
更に他のコネクタにおいては、さらに、前記前方部は、前記天板部の前端と下方湾曲部とを接続する前壁部と、前記下方湾曲部の前端に接続された入口上側傾斜部と、該入口上側傾斜部に上方湾曲部を介して接続された返し板部とを含み、前記前壁部、下方湾曲部、入口上側傾斜部、上方湾曲部及び返し板部によって周囲を画定された空間は、その上面が返し板部の先端と前壁部との間で開口し、異物を内部に捕捉可能な空間である。
【００１７】
更に他のコネクタにおいては、さらに、前記端子は、前記ハウジングに固定される基部と、該基部から前方に向けて延出する主接触腕部及び補助接触腕部と、該主接触腕部及び補助接触腕部の自由端に形成された主接触凸部及び補助接触凸部とを含み、該補助接触凸部は前記主接触凸部より前記空洞部の入口側に位置する。
【００１８】
更に他のコネクタにおいては、さらに、前記カバー部材の天板部は、前記ハウジングの上部の上面を覆い、前記空洞部の上面は前記上部の下面によって画定され、前記主接触凸部及び補助接触凸部は前記空洞部の上面に対向する。
【発明の効果】
【００１９】
本開示によれば、コネクタは、低背で、かつ、簡素な構成でありながら、内部への異物の侵入が確実に防止され、信頼性を向上させることができる。
【図面の簡単な説明】
【００２０】
【図１】本実施の形態におけるコネクタの斜視図であって、（ａ）は斜め上前方から観た図、（ｂ）は斜め上後方から観た図である。
【図２】本実施の形態におけるコネクタの斜め上前方から観た分解図である。
【図３】本実施の形態におけるコネクタの斜め上後方から観た分解図である。
【図４】本実施の形態におけるコネクタ及び平板状ケーブルの断面図であって図１（ａ）におけるＡ−Ａ矢視断面に相当する断面を示す図であって、（ａ）は平板状ケーブルがコネクタに挿入される前の状態を示す図、（ｂ）は平板状ケーブルがコネクタに挿入される途中の状態を示す図、（ｃ）は平板状ケーブルがコネクタに挿入された後の状態を示す図である。
【図５】本実施の形態におけるコネクタに平板状ケーブルを接続した状態を示すコネクタの斜め上前方から観た斜視図である。
【図６】本実施の形態におけるコネクタに平板状ケーブルを接続した状態を示すコネクタの斜め上後方から観た斜視図である。
【図７】従来のケーブル用コネクタを示す側断面図である。
【発明を実施するための形態】
【００２１】
以下、本実施の形態について図面を参照しながら詳細に説明する。
【００２２】
図１は本実施の形態におけるコネクタの斜視図、図２は本実施の形態におけるコネクタの斜め上前方から観た分解図、図３は本実施の形態におけるコネクタの斜め上後方から観た分解図である。なお、図１において、（ａ）は斜め上前方から観た図、（ｂ）は斜め上後方から観た図である。
【００２３】
図において、１は本実施の形態におけるケーブル用コネクタとしてのコネクタであり、図示されない回路基板等の基板の面に実装され、後述される平板状ケーブル１０１を電気的に接続するためのコネクタとして使用される。また、前記コネクタ１は、いわゆるライトアングルタイプのコネクタとして使用され、基板に対して横向きの状態、すなわち、ハウジング１１の下面（図における下側の面）が基板の表面に対向する状態で実装される、例えば、高さ約２〜３〔ｍｍ〕の低背型のコネクタである。そして、前記平板状ケーブル１０１は、例えば、ＦＰＣ、ＦＦＣ等と称される平板状の可撓性ケーブルであるが、後述される導電線１５１を備える平板状のケーブルであれば、いかなる種類のものであってもよい。
【００２４】
なお、本実施の形態において、コネクタ１及びその他の部材の各部の構成及び動作を説明するために使用される上、下、左、右、前、後等の方向を示す表現は、絶対的なものでなく相対的なものであり、コネクタ１及びその他の部材が図に示される姿勢である場合に適切であるが、コネクタ１の姿勢が変化した場合には姿勢の変化に応じて変更して解釈されるべきものである。
【００２５】
ここで、前記コネクタ１は、合成樹脂等の絶縁性材料によって一体的に形成されたハウジング１１と、各々が金属等の導電性材料によって一体的に形成された端子５１であって、前記ハウジング１１に装填された複数の端子５１と、金属等の導電性材料によって一体的に形成されたカバー部材７１であって、前記ハウジング１１に取付けられたカバー部材７１とを備える。
【００２６】
そして、前記ハウジング１１は、下部１２、上部１５、左右の側部１６、並びに、前記下部１２、上部１５及び側部１６の間に形成された空洞部１８を有する。
【００２７】
前記下部１２は、少なくとも下面が閉じた平坦面となっている厚板状の部材であって、その前端１２ｆの近傍部分は、前記ハウジング１１の幅方向に延在する空洞部１８の入口１８ａに対応する入口部１２ａとなっている。該入口部１２ａの上面は、前記ハウジング１１の幅方向に延在する平坦な入口下面１２ｃであり、該入口下面１２ｃの前端には、前記前端１２ｆに向けて斜めに傾斜する傾斜面としての入口下側傾斜面１２ｄが接続されている。前記下部１２の後端１２ｒの近傍部分には、端子収容凹部１４が、例えば、ピッチ約０．５〔ｍｍ〕の間隔で、複数並んで形成されている。
【００２８】
各端子収容凹部１４は、ハウジング１１の後端１１ｒに開口する後端開口１４ｄを含むスリット状の空洞であり、その前端から前記ハウジング１１の前方に向けて延在する端子ビーム収容溝１４ａを含んでいる。より具体的には、前記後端開口１４ｄは、ハウジング１１の下部１２の後端１２ｒに開口する。前記端子ビーム収容溝１４ａは、入口部１２ａの後端より後側に、複数本並んで形成されている。なお、隣接する端子ビーム収容溝１４ａ間の壁部分の上面は、入口下面１２ｃと面一に形成されることが望ましい。また、各端子収容凹部１４は、後述される底面１４ｂが端子ビーム収容溝１４ａの底面と面一に形成されることが望ましく、後述される天面１４ｃが上部１５の下面と面一に形成されることが望ましい。そして、前記空洞部１８は、ハウジング１１の前後方向に関して、端子収容凹部１４まで延在し、その上面が上部１５の下面によって画定され、その下面が入口下面１２ｃ及び端子ビーム収容溝１４ａ間の壁部分の上面によって画定される。
【００２９】
また、前記下部１２の前端１２ｆは、ハウジング１１の前端１１ｆと一致し、上部１５の前端１５ｆは、下部１２の前端１２ｆよりも後方に位置し、端子ビーム収容溝１４ａのほぼ直上に位置する。前記下部１２の後端１２ｒは、図３に示されるように、ハウジング１１の後端１１ｒより、やや前方に位置する。なお、平板状ケーブル１０１が、「背景技術」の項で説明した平板状ケーブル９０１のように、先端近傍における幅方向両端に切欠き係合部が形成されたものであるときは、該切欠き係合部と係合する係合突起１７が入口下面１２ｃに形成されていることが望ましい。
【００３０】
前記側部１６は、ハウジング１１の前後方向及び上下方向に延在する平板状の部材であって、下部１２及び上部１５におけるハウジング１１の前後方向両端に一体的に接続されている。前記側部１６の前端１６ｆはハウジング１１の前端１１ｆと一致する。そして、前記前端１６ｆには、ハウジング１１の幅方向中心に向って突出する入口側部１６ｃが形成されている。該入口側部１６ｃは、空洞部１８の入口１８ａにおけるハウジング１１の幅方向両側を画定する。したがって、周囲に浮遊するカス、ダスト等の異物が側方から、コネクタ１の内部、すなわち、端子収容凹部１４内や空洞部１８内に進入することが確実に防止される。
【００３１】
そして、前記入口側部１６ｃには、前記前端１６ｆに向けて斜めに傾斜する傾斜面としての入口側方傾斜面１６ｄが形成されている。また、前記前端１６ｆの外側における下端には、ハウジング１１の幅方向外方に向って突出する抑え突起１６ａが形成されている。さらに、前記上部１５におけるハウジング１１の幅方向両端は側部１６と隙間なく接続されているが、ハウジング１１の後端１１ｒ近傍における側部１６と上部１５との接続部分には、カバー部材固定用凹部１６ｂの上端が開口している。
【００３２】
本実施の形態において、端子５１は、好ましくは、金属板を打抜くことによって形成され、１種類の形状のものが使用され、ハウジング１１の幅方向に１列に並ぶように配列され、装填される。前記端子５１は、ハウジング１１の前後方向及び上下方向に延在する基部５２と、該基部５２の前端における下端から前方に向って延出するカンチレバー状のばね部材として機能する補助接触腕部としての下腕ビーム５３と、該下腕ビーム５３より上方において基部５２の前端から前方に向って延出するカンチレバー状のばね部材として機能する主接触腕部としての上腕ビーム５４と、前記基部５２の後端における下端から後方に向って延出するテール部５８とを有する。なお、下腕ビーム５３の自由端、すなわち、先端には上方に突出する補助接触凸部としての前方接触凸部５３ａが形成され、上腕ビーム５４の自由端、すなわち、先端には上方に突出する主接触凸部としての後方接触凸部５４ａが形成されている。また、前記テール部５８は、クランク状の側面形状を有し、その後端であるテール後端部５８ａは、基部５２の下端よりも下方に位置する。そして、各端子５１は、ハウジング１１の後方から、後端１１ｒに開口する後端開口１４ｄを通って、端子収容凹部１４の各々に挿入されて装填される。
【００３３】
前記端子５１の端子収容凹部１４への装填が完了すると、基部５２の下端部５２ｂは端子収容凹部１４の底面１４ｂに当接し、基部５２の上端部５２ａは端子収容凹部１４の天面１４ｃに当接又は近接し、前記上端部５２ａから上方に突出する係止突起５２ｃは端子収容凹部１４の天面１４ｃに食込んで係止される。これにより、各端子５１は、対応する端子収容凹部１４内に固定される。また、下腕ビーム５３及び上腕ビーム５４の大部分は、端子ビーム収容溝１４ａ内に収容されるが、少なくとも前方接触凸部５３ａの上端及び後方接触凸部５４ａの上端は、端子ビーム収容溝１４ａより上方に突出し、空洞部１８内に進入している。これにより、前方接触凸部５３ａの上端及び後方接触凸部５４ａの上端は、空洞部１８内に挿入された平板状ケーブル１０１の導電線１５１と接触可能となる。さらに、前記テール部５８は、下部１２の後端１２ｒより後方に突出し、テール後端部５８ａの下端は、下部１２の下面以下の位置にあり、図示されない基板の実装面に形成された接続用パッドに、はんだ付等によって、接続可能となっている。これにより、前記端子５１は、前記接続用パッドに接続された基板の導電トレースと導通する。
【００３４】
本実施の形態において、カバー部材７１は、好ましくは、金属板に打抜き加工及び曲げ加工を施すことによって形成された部材であって、平板状の天板部７２と、該天板部７２の後端に接続された後板部７４と、該後板部７４におけるハウジング１１の幅方向両端に接続された左右の側板部７５と、前記天板部７２の後端近傍におけるハウジング１１の幅方向両端に接続された左右の固定部７３と、前記天板部７２の前端に接続された前方部７６とを有する。
【００３５】
前記天板部７２は、カバー部材７１がハウジング１１に取付けられた状態において、ハウジング１１の上部１５の上面のほぼ全体を覆う部材であって、好ましくは、前記上部１５におけるハウジング１１の幅方向両端も隙間がないように覆うようになっている。したがって、周囲に浮遊するカス、ダスト等の異物が上方から、コネクタ１の内部、すなわち、端子収容凹部１４内や空洞部１８内に進入することが効果的に防止される。なお、天板部７２における固定部７３よりも前方の部分は、弾性的に変形可能な変形部７２ａとなっている。これにより、前方部７６は、ハウジング１１の下部１２における入口部１２ａの入口下面１２ｃに向けて付勢される。前記固定部７３は、下方に向けて延出する固定脚部７３ａを含み、該固定脚部７３ａは、カバー部材７１がハウジング１１に取付けられた状態において、ハウジング１１のカバー部材固定用凹部１６ｂ内に挿入されて保持される。これにより、カバー部材７１がハウジング１１に強固に取付けられる。前記後板部７４は、ハウジング１１の幅方向及び上下方向に延在してハウジング１１の後端１１ｒにおける少なくとも上端近傍部分を覆う平板状の部材である。
【００３６】
そして、前記後板部７４の下端７４ｂは、カバー部材７１がハウジング１１に取付けられた状態において、端子収容凹部１４の天面１４ｃよりは下方であるが底面１４ｂよりは上方、より詳細には、下部１２の後端１２ｒより後方に突出するテール部５８よりは上方に位置する。これにより、前記後板部７４は、テール部５８に接触せずに、ハウジング１１の後端１１ｒを効果的に覆うことができる。したがって、周囲に浮遊するカス、ダスト等の異物が後方から、コネクタ１の内部、すなわち、端子収容凹部１４内や空洞部１８内に進入することが効果的に防止される。なお、前記後板部７４の下端７４ｂにおけるハウジング１１の幅方向両端には、下端が折曲げられて天板部７２と平行になっているカバー部材テール部としての後方テール部７４ａが接続されている。該後方テール部７４ａの下端は、カバー部材７１がハウジング１１に取付けられた状態において、前記テール後端部５８ａの下端とほぼ同じ高さに位置し、図示されない基板の実装面に形成された固定用パッドに、はんだ付等によって、接続可能となっている。前記固定用パッドは、基板の接地トレースに接続されていることが望ましい。
【００３７】
また、前記側板部７５は、後板部７４との接続部分の近傍で折曲げられ、ハウジング１１の側部１６の外面に沿って前後方向に延在する。そして、その前端部７５ｂ近傍には、下端が折曲げられて天板部７２と平行になっているカバー部材テール部としての前方テール部７５ａが接続されている。該前方テール部７５ａの下端は、カバー部材７１がハウジング１１に取付けられた状態において、前記テール後端部５８ａの下端とほぼ同じ高さに位置し、図示されない基板の実装面に形成された固定用パッドに、はんだ付等によって、接続可能となっている。前記固定用パッドは、基板の接地トレースに接続されていることが望ましい。また、側板部７５の前端部７５ｂにおける下端は、カバー部材７１がハウジング１１に取付けられた状態において、ハウジング１１の抑え突起１６ａの上面に対向し、該上面に近接又は当接している。これにより、コネクタ１が図示されない基板の実装面に実装された状態において、ハウジング１１の前端１１ｆを上方に変位させるような外力を受けた場合であっても、ハウジング１１の前端１１ｆが基板の実装面から離間してしまうことを防止することができる。
【００３８】
前記前方部７６は、天板部７２の前端に湾曲部を介して基端が接続され、該基端から下方に向って延在する前壁部７６ａと、該前壁部７６ａの下端に接続され、下方に向って突出するように湾曲した下方湾曲部としてのシール部７６ｂと、該シール部７６ｂの前端から斜め上前方に向って延在する傾斜面としての入口上側傾斜部７６ｃと、該入口上側傾斜部７６ｃの上端に接続され、斜め上方に向って突出するように湾曲した上方湾曲部としての返し湾曲部７６ｄと、該返し湾曲部７６ｄの後端から斜め下後方に向って延在する傾斜面としての返し板部７６ｅとを含んでいる。
【００３９】
そして、前記前壁部７６ａ、シール部７６ｂ、入口上側傾斜部７６ｃ、返し湾曲部７６ｄ及び返し板部７６ｅによって周囲を画定された空間は、周囲に浮遊するカス、ダスト等の異物を捕捉するトラップ空間７７として機能する。該トラップ空間７７は、その上面が返し板部７６ｅの先端と前壁部７６ａとの間で開口しているものの、その断面形状から容易に理解し得るように、内部に進入した異物が外に出にくい形状となっているので、簡素な構成でありながら、異物を効果的に捕捉することができる。
【００４０】
また、前記前方部７６のシール部７６ｂは、カバー部材７１がハウジング１１に取付けられた状態において、ハウジング１１の下部１２における入口部１２ａの上面である平坦な入口下面１２ｃにハウジング１１の幅方向のほぼ全範囲に亘って対向し、かつ、前記入口下面１２ｃに近接又は当接している。これにより、空洞部１８の入口１８ａは、ハウジング１１の幅方向のほぼ全範囲に亘り、好ましくは閉じた状態となっていて、開いているとしても、極めて狭い隙間がある程度の状態となっている。したがって、周囲に浮遊するカス、ダスト等の異物が前方から、コネクタ１の内部、すなわち、端子収容凹部１４内や空洞部１８内に進入することが効果的に防止される。
【００４１】
次に、前記構成のコネクタ１の動作について説明する。
【００４２】
図４は本実施の形態におけるコネクタ及び平板状ケーブルの断面図であって図１（ａ）におけるＡ−Ａ矢視断面に相当する断面を示す図、図５は本実施の形態におけるコネクタに平板状ケーブルを接続した状態を示すコネクタの斜め上前方から観た斜視図、図６は本実施の形態におけるコネクタに平板状ケーブルを接続した状態を示すコネクタの斜め上後方から観た斜視図である。なお、図４において、（ａ）は平板状ケーブルがコネクタに挿入される前の状態を示す図、（ｂ）は平板状ケーブルがコネクタに挿入される途中の状態を示す図、（ｃ）は平板状ケーブルがコネクタに挿入された後の状態を示す図である。
【００４３】
ここで、平板状ケーブル１０１は、図に示されるように、細長い帯状の形状を備える絶縁性の薄板部材である基板部１１１、及び、該基板部１１１の一面（図に示される例においては下側の面）に配設され、平板状ケーブル１０１の長手方向に延在する複数本の導電線１５１を有する。なお、図においては、平板状ケーブル１０１におけるコネクタ１の空洞部１８に挿入される先端の近傍部分のみが示されており、他の部分は省略されている。
【００４４】
前記導電線１５１は、例えば、銅等の導電性金属から成る箔状の線状体であり、所定のピッチ、例えば、０．５〔ｍｍ〕程度で平板状ケーブル１０１の幅方向に並んで配設される。なお、前記導電線１５１の本数及びピッチは、必要に応じて適宜変更することができる。そして、前記導電線１５１の表面（図に示される例においては下側の面）は絶縁層１２１によって覆われている。なお、平板状ケーブル１０１における先端から所定の長さに亘る範囲では、前記絶縁層１２１が除去され、導電線１５１の表面が露出している。
【００４５】
また、前記基板部１１１における導電線１５１の露出する側と反対側の面（図に示される例においては上側の面）には、シールド板１１２が貼付されて露出している。該シールド板１１２は、金属等の導電性材料から成り、基板部１１１における導電線１５１が配設された側と反対側の面を覆っている。なお、前記平板状ケーブル１０１は、「背景技術」の項で説明した平板状ケーブル９０１のように、先端近傍における幅方向両端に切欠き係合部が形成されたものであることが望ましい。
【００４６】
ここでは、コネクタ１に平板状ケーブル１０１を接続する動作について説明する。なお、前記コネクタ１は、図示されない基板の表面に実装されているものとする。
【００４７】
まず、オペレータは、手指等によって操作し、図４（ａ）に示されるように、平板状ケーブル１０１の先端をコネクタ１の空洞部１８の入口１８ａに対向させる。この場合、平板状ケーブル１０１の姿勢は、導電線１５１の露出した面が下を向き、先端縁が空洞部１８の入口１８ａと平行になるように制御される。
【００４８】
そして、オペレータは、平板状ケーブル１０１をコネクタ１の方向に移動させ、平板状ケーブル１０１の先端を空洞部１８の入口１８ａに挿入する。すると、図４（ｂ）に示されるように、カバー部材７１の前方部７６が平板状ケーブル１０１によって押上げられ、天板部７２における変形部７２ａが弾性的に変形する。この場合、ハウジング１１の下部１２における入口部１２ａの入口下側傾斜面１２ｄ及び前方部７６の入口上側傾斜部７６ｃが斜めに傾斜し、かつ、シール部７６ｂが湾曲しているので、平板状ケーブル１０１の先端は、シール部７６ｂと入口部１２ａの入口下面１２ｃとの間の入口１８ａにスムーズに挿入される。なお、オペレータの手指等が発揮する力は、天板部７２における変形部７２ａのばね力よりも十分に強いと考えられるので、オペレータは、平板状ケーブル１０１の先端を入口１８ａに容易に挿入することができる。
【００４９】
また、前記変形部７２ａが発揮するばね力によってシール部７６ｂが平板状ケーブル１０１の上側の面に押付けられるので、平板状ケーブル１０１の先端及びその近傍の部分は、図４（ｂ）に示されるように、シール部７６ｂと入口下面１２ｃとによって上下から挟持された状態で、進行する。したがって、仮に平板状ケーブル１０１の上側及び下側の面に異物が付着していたとしても、該異物は、シール部７６ｂ及び入口下面１２ｃによって拭い取られ、空洞部１８乃至端子収容凹部１４内に進入することがない。
【００５０】
続いて、オペレータが平板状ケーブル１０１を空洞部１８の奥に向けて更に進行させると、端子ビーム収容溝１４ａより上方に突出し、空洞部１８内に進入している前方接触凸部５３ａ及び後方接触凸部５４ａの上端が、平板状ケーブル１０１の先端及びその近傍の部分において下側の面に露出している導電線１５１に当接する。すると、下腕ビーム５３及び上腕ビーム５４が弾性的に変形し、前方接触凸部５３ａ及び後方接触凸部５４ａは、下方に押下げられる。また、下腕ビーム５３及び上腕ビーム５４が発揮するばね力によって、前方接触凸部５３ａ及び後方接触凸部５４ａの上端は、導電線１５１の表面に押付けられる。この状態で、平板状ケーブル１０１が進行するので、仮に導電線１５１の表面に異物が付着していたとしても、該異物は、前方接触凸部５３ａ及び後方接触凸部５４ａの上端によって拭い取られる。また、仮に導電線１５１の表面に錆、油、樹脂等の被膜が生じていても、該被膜の前方接触凸部５３ａ及び後方接触凸部５４ａの上端によって拭い取られる。換言すると、導電線１５１の表面は、該表面に押付けられた前方接触凸部５３ａ及び後方接触凸部５４ａが発揮するワイピング効果によって除去される。したがって、導電線１５１の表面と前方接触凸部５３ａ及び後方接触凸部５４ａとの間の導通状態は、良好なものとなる。
【００５１】
なお、カンチレバー状の板ばねである下腕ビーム５３及び上腕ビーム５４において、自由端に形成された前方接触凸部５３ａ及び後方接触凸部５４ａは、平板状ケーブル１０１に対する相対的な進行方向の前側、すなわち、リーディング側に位置しているので、導電線１５１の表面をワイピングする力が大きく、大きなワイピング効果を発揮することができる。
【００５２】
さらに、前方接触凸部５３ａ及び後方接触凸部５４ａが平板状ケーブル１０１に対する相対的な進行方向の前後に並んでいるので、前方に位置する前方接触凸部５３ａによって既にワイピングされた導電線１５１の表面を後方接触凸部５４ａが再度ワイピングすることとなり、導電線１５１の表面と後方接触凸部５４ａとの導通状態は特に良好なものとなる。換言すると、前方接触凸部５３ａは、ワイピングが主たる機能で導通が補助的な補助接触凸部であって、後方接触凸部５４ａは、ワイピングが補助的で導通が主たる機能である主接触凸部である。
【００５３】
そして、図４（ｃ）、５及び６に示されるように、平板状ケーブル１０１の先端が空洞部１８と端子収容凹部１４との境界に到達すると、平板状ケーブル１０１の挿抜方向の位置決めが行われ、平板状ケーブル１０１は、挿入が完了してコネクタ１に接続される。前記平板状ケーブル１０１が先端近傍における幅方向両端に切欠き係合部が形成されたものである場合、該切欠き係合部が入口下面１２ｃに形成されている係合突起１７と係合するので、前記平板状ケーブル１０１がコネクタ１から外れる恐れがない。そして、平板状ケーブル１０１の各導電線１５１は、対応する端子５１の前方接触凸部５３ａ及び後方接触凸部５４ａと接触しているので、対応する端子５１と導通し、さらに、該端子５１のテール部５８が接続された接続用パッドを介して、基板の導電トレースと導通する。
【００５４】
また、天板部７２における変形部７２ａのばね力によってシール部７６ｂが平板状ケーブル１０１の上側の面におけるシールド板１１２に押圧されている。したがって、該シールド板１１２は、シール部７６ｂと確実に導通し、さらに、カバー部材７１の前方テール部７５ａ及び後方テール部７４ａが接続された固定用パッドを介して、基板の接地トレースと導通する。
【００５５】
なお、図４（ｃ）に示されるように、平板状ケーブル１０１の上側の面は、入口部１２ａの入口下面１２ｃに対応する位置ではシール部７６ｂによって下方に押圧されているが、端子５１の前方接触凸部５３ａ及び後方接触凸部５４ａに対応する位置では、上部１５の下面に対向し、下方に押圧されていない。したがって、導電線１５１と前方接触凸部５３ａ及び後方接触凸部５４ａとが接触する圧力、すなわち、接圧は、変形部７２ａやシール部７６ｂの押圧によって増加することがなく、設計された通りの値に維持される。
【００５６】
このように、本実施の形態において、コネクタ１は、平板状ケーブル１０１が挿入される空洞部１８を含むハウジング１１と、ハウジング１１に取付けられ、平板状ケーブル１０１の導電線１５１と電気的に接続される端子５１と、ハウジング１１に取付けられたカバー部材７１とを備える。そして、ハウジング１１は、空洞部１８の入口１８ａの下面を画定する平坦な入口下面１２ｃを含み、カバー部材７１は、空洞部１８の上方を覆う天板部７２と、天板部７２の前端に接続され、空洞部１８の入口１８ａを覆う前方部７６とを含み、前方部７６は、入口下面１２ｃに対向するシール部７６ｂを含み、入口下面１２ｃに向けて付勢されている。これにより、コネクタ１は、低背で、かつ、簡素な構成でありながら、内部への異物の侵入が確実に防止され、信頼性を向上させることができる。特に、入口下面１２ｃに向けて付勢されているカバー部材７１の前方部７６が、そのシール部７６ｂが入口１８ａの下面を画定する平坦な入口下面１２ｃに対向した状態で、空洞部１８の入口１８ａを覆うので、異物が入口１８ａから空洞部１８に侵入することを確実に防止することができる。
【００５７】
また、カバー部材７１は、天板部７２の後端に接続された後板部７４を含み、後板部７４は、上下方向に延在し、ハウジング１１の後端１１ｒの少なくとも上端近傍部分を覆っている。したがって、ハウジング１１の後方からの異物の侵入が効果的に防止される。
【００５８】
さらに、ハウジング１１は、端子５１を収容する端子収容凹部１４を含み、端子収容凹部１４の後端開口１４ｄはハウジング１１の後端１１ｒに開口し、後板部７４は、後端開口１４ｄの少なくとも上端近傍部分を覆っている。したがって、異物が後端開口１４ｄから端子収容凹部１４に侵入することを効果的に防止することができる。
【００５９】
さらに、ハウジング１１は、その前端１１ｆの外側下端に形成された抑え突起１６ａを含み、カバー部材７１は、前後方向に延在し、後端が後板部７４に接続され、前端部７５ｂが抑え突起１６ａの上面に対向する側板部７５であって、前端部７５ｂ近傍に前方テール部７５ａが接続された側板部７５を含んでいる。これにより、コネクタ１が基板の実装面に実装された状態において、ハウジング１１の前端１１ｆを上方に変位させるような外力を受けた場合であっても、ハウジング１１の前端１１ｆが基板の実装面から離間してしまうことを防止することができる。
【００６０】
さらに、平板状ケーブル１０１は、導電線１５１が露出する面の反対側の面に露出するシールド板１１２を含み、シール部７６ｂは、空洞部１８に挿入された平板状ケーブル１０１のシールド板１１２を押圧する。したがって、カバー部材７１とシールド板１１２とは確実に導通状態を維持し、同電位の状態を維持することができる。また、平板状ケーブル１０１に異物が付着していても、異物を確実に除去することができる。
【００６１】
さらに、前方部７６は、天板部７２の前端とシール部７６ｂとを接続する前壁部７６ａと、シール部７６ｂの前端に接続された入口上側傾斜部７６ｃと、入口上側傾斜部７６ｃに返し湾曲部７６ｄを介して接続された返し板部７６ｅとを含み、前壁部７６ａ、シール部７６ｂ、入口上側傾斜部７６ｃ、返し湾曲部７６ｄ及び返し板部７６ｅによって周囲を画定されたトラップ空間７７は、その上面が返し板部７６ｅの先端と前壁部７６ａとの間で開口し、異物を内部に捕捉可能な空間である。したがって、内部に進入した異物が外に出にくい形状となっているので、異物を効果的に捕捉することができ、捕捉した異物が外に出て周囲を汚染することがない。
【００６２】
さらに、端子５１は、ハウジング１１に固定される基部５２と、基部５２から前方に向けて延出する上腕ビーム５４及び下腕ビーム５３と、上腕ビーム５４及び下腕ビーム５３の自由端に形成された後方接触凸部５４ａ及び前方接触凸部５３ａとを含み、前方接触凸部５３ａは後方接触凸部５４ａより空洞部１８の入口１８ａ側に位置する。したがって、前方接触凸部５３ａによって既にワイピングされた導電線１５１の表面を後方接触凸部５４ａが再度ワイピングすることとなり、導電線１５１の表面と後方接触凸部５４ａとの導通状態は良好なものとなる。
【００６３】
さらに、カバー部材７１の天板部７２は、ハウジング１１の上部１５の上面を覆い、空洞部１８の上面は上部１５の下面によって画定され、後方接触凸部５４ａ及び前方接触凸部５３ａは空洞部１８の上面に対向する。したがって、導電線１５１と前方接触凸部５３ａ及び後方接触凸部５４ａとの接圧は、天板部７２やシール部７６ｂの押圧によって増加することがなく、設計された通りの値に維持される。
【００６４】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００６５】
本開示は、コネクタに適用することができる。
【符号の説明】
【００６６】
１    コネクタ
１１、８１１    ハウジング
１１ｆ、１２ｆ、１５ｆ、１６ｆ    前端
１１ｒ、１２ｒ    後端
１２    下部
１２ａ    入口部
１２ｃ    入口下面
１２ｄ    入口下側傾斜面
１４    端子収容凹部
１４ａ    端子ビーム収容溝
１４ｂ    底面
１４ｃ    天面
１４ｄ    後端開口
１５    上部
１６    側部
１６ａ    抑え突起
１６ｂ    カバー部材固定用凹部
１６ｃ    入口側部
１６ｄ    入口側方傾斜面
１７    係合突起
１８    空洞部
１８ａ    入口
５１、８５１    端子
５２    基部
５２ａ    上端部
５２ｂ    下端部
５２ｃ    係止突起
５３    下腕ビーム
５３ａ    前方接触凸部
５４    上腕ビーム
５４ａ    後方接触凸部
５８、８５８    テール部
５８ａ    テール後端部
７１    カバー部材
７２    天板部
７２ａ    変形部
７３    固定部
７３ａ    固定脚部
７４    後板部
７４ａ    後方テール部
７４ｂ    下端
７５    側板部
７５ａ    前方テール部
７５ｂ    前端部
７６    前方部
７６ａ    前壁部
７６ｂ    シール部
７６ｃ    入口上側傾斜部
７６ｄ    返し湾曲部
７６ｅ    返し板部
７７    トラップ空間
１０１、９０１    平板状ケーブル
１１１    基板部
１１２    シールド板
１２１    絶縁層
１５１    導電線
８１２    ケーブル差込空洞
８６１    係合部材
８６３    係止部
８６４    先端
８６５    弾性片部
８６６    回転軸
８７１    軸受金具
８７２    孔
９１３    切欠き係合部
９５１    接触部
【図１】
2018133314.tif 000003
【図２】
2018133314.tif 000004
【図３】
2018133314.tif 000005
【図４】
2018133314.tif 000006
【図５】
2018133314.tif 000007
【図６】
2018133314.tif 000008
【図７】
2018133314.tif 000009